(57)【要約】【課題】振動手段を利用して遊技内容自体に変化をもたらすパチンコ遊技機を提供する。【解決手段】誘導レール１６により遊技領域６ａを形成した遊技盤６の前面に金属製枠部７ａを備えたガラス扉枠７が開閉自在に設けられるパチンコ遊技機であって、前記遊技盤６を振動させる振動手段４１を導電性部材により形成される取付部材４２を介して装着すると共に、前記取付部材４２は誘導レール１６と導通させると共に前記ガラス扉枠７を閉じることによって前記金属製枠部７ａと弾性的に接触する弾性片部５５を設けた。【選択図】図７
2004041816.tif 000002
【特許請求の範囲】
【請求項１】
　誘導レールにより遊技領域を形成した遊技盤の前面に金属製枠部を備えたガラス扉枠が開閉自在に設けられるパチンコ遊技機であって、
　遊技盤を振動させる振動手段を導電性部材により形成される取付部材を介して装着すると共に、前記取付部材は誘導レールと導通させると共に前記ガラス扉枠を閉じることによって前記金属製枠部と弾性的に接触する弾性片部を設けたことを特徴とするパチンコ遊技機。
【請求項２】
　前記遊技盤の表面に導電性を有するプラスチック板を貼設したことを特徴とする請求項１記載のパチンコ遊技機。
【請求項３】
　遊技盤の前面に誘導レールにより遊技領域を形成し、該遊技領域に障害釘及び入賞口等を設けたパチンコ遊技機であって、
　前記遊技盤を振動させる振動手段を設けると共に、前記振動手段による振動状態を報知する振動報知手段を揺動自在に設けたことを特徴とするパチンコ遊技機。
【請求項４】
　遊技盤の前面に誘導レールにより遊技領域を形成し、該遊技領域に障害釘及び入賞口等を設けたパチンコ遊技機であって、
　前記遊技盤を穿設して該遊技盤を振動させる振動手段を設けると共に、前記振動手段を前記障害釘と接触させて設けたことを特徴とするパチンコ遊技機。
【発明の詳細な説明】
【技術分野】
【０００１】
　本発明は、パチンコ遊技機に関するものであり、特に振動手段により遊技に変化を与えるものである。
【背景技術】
【０００２】
　従来のパチンコ遊技機は、遊技盤上に始動入賞口，可変表示装置，大入賞口等を配設し、始動入賞口に遊技球が入賞すると可変表示装置の図柄を変動させると共に、その停止時の表示によって特定遊技状態となり、大入賞口を開放して一気に多量の景品球を獲得するようにしたものが主流となっている。
【０００３】
　また、振動手段を操作ハンドル内に組み込んで、所定の遊技状態になったことを振動によって遊技者に知らせる報知手段としているものは知られている。
【特許文献１】特開平７−１４８３１２号公報参照
【発明の開示】
【発明が解決しようとする課題】
【０００４】
　しかしながら、従来のパチンコ遊技機は、盤面の釘調節により入賞口への入賞率が決定してしまい、その出球率のよいパチンコ遊技機も決まってしまい、遊技者にとっても公平でなく、ホールにとっても稼働率の低下の要因となっていた。
【０００５】
　また、振動手段を組み込んだ上記のパチンコ遊技機は、従来の視聴覚により遊技状態を報知するものに比べ確かに目新しいが、折角コストと手間暇を掛けた割に利用価値の低いものであった。
【０００６】
　そこで本発明は、振動手段を利用して遊技盤を振動させ遊技内容自体に変化をもたらすパチンコ遊技機を提供することを目的としている。
【課題を解決するための手段】
【０００７】
　上記目的を達成するために、請求項１記載の発明は、誘導レールにより遊技領域を形成した遊技盤の前面に金属製枠部を備えたガラス扉枠が開閉自在に設けられるパチンコ遊技機であって、遊技盤を振動させる振動手段を導電性部材により形成される取付部材を介して装着すると共に、前記取付部材は誘導レールと導通させると共に前記ガラス扉枠を閉じることによって前記金属製枠部と弾性的に接触する弾性片部を設けたことを特徴としている。
　誘導レールにより遊技領域を形成した遊技盤の裏面に、パチンコ球が流下する球誘導樋等を設けた機構板を備えたパチンコ遊技機であって、前記遊技盤の裏面に該遊技盤を振動させる振動手段を設けると共に、前記振動手段を前記機構板と接触位置に設けたことを特徴とするパチンコ遊技機。
【０００８】
　また、請求項２記載の発明は、請求項１記載において、前記遊技盤の表面に導電性を有するプラスチック板を貼設したことを特徴としている。
【０００９】
　請求項３記載の発明は、遊技盤の前面に誘導レールにより遊技領域を形成し、該遊技領域に障害釘及び入賞口等を設けたパチンコ遊技機であって、前記遊技盤を振動させる振動手段を設けると共に、前記振動手段による振動状態を報知する振動報知手段を揺動自在に設けたことを特徴としている。
【００１０】
　請求項４記載発明は、遊技盤の前面に誘導レールにより遊技領域を形成し、該遊技領域に障害釘及び入賞口等を設けたパチンコ遊技機であって、前記遊技盤を穿設して該遊技盤を振動させる振動手段を設けると共に、前記振動手段を前記障害釘と接触させて設けたことを特徴としている。
【００１１】
　また、前記遊技盤を遊技盤取付枠に対し隙間を設けて装着するのが好ましい。
【００１２】
　さらに、前記遊技盤を遊技盤取付枠に対し揺動基準点を設けて装着するのが好ましい。
【００１３】
　また、前記遊技盤を遊技盤取付枠に対し弾性手段を介して装着するのが好ましい。
【００１４】
　さらに、前記弾性手段に不正防止機能を備えるのが好ましい。
【００１５】
　また、前記取付部材によってガラス扉枠の透明板の上動を阻止するのが好ましい。
【００１６】
　さらに、振動状態を報知する振動報知手段を揺動自在に設けるのが好ましい。
【００１７】
　また、機構板に配線収納部を設けて、前記弾性手段により配線の抜け止めを行うのが好ましい。
【００１８】
　また、遊技盤を合成樹脂により成形すると共に、盤面部品の取付ボスの周縁に切り溝を設け、盤面部品を揺動可能な状態に取付けるようにするのが好ましい。
【００１９】
　また、遊技盤を分割形成することにより、遊技盤を部分的に振動させるようにするのが好ましい。
【００２０】
　また、ガラス扉枠または機構板等の遊技盤以外に設けた振動手段の振動を遊技盤に伝達するようにしてもよい。
【００２１】
　前面に誘導レールにより遊技領域を形成し、該遊技領域に障害釘及び入賞口等を設けた遊技盤が遊技盤取付枠に着脱自在に装着され、前記遊技盤の裏面に機構板が装着されるパチンコ遊技機であって、前記遊技盤を振動させる振動手段を設けると共に、前記遊技盤を板ばねを介して遊技盤取付枠に装着し、前記板ばねに前記機構板の配線収納部の蓋片を設けるようにするのがよい。
【００２２】
　遊技盤の前面に誘導レールにより遊技領域を形成し、該遊技領域に障害釘及び入賞口等を設けたパチンコ遊技機であって、前記遊技盤を振動させる振動手段を設けると共に、前記振動手段による振動により音を発生する音発生手段を設けるのがよい。
【発明の効果】
【００２３】
　本発明においては、振動手段によって遊技盤を振動させるようにしたので、球飛びを不規則に変化させたり入賞口の入賞率を変化させたりすることができ、遊技者に興趣をもたせることができる。しかも振動手段の取付部材により、静電気をガラス扉枠に除去することができる。
【実施例１】
【００２４】
　次に、図面を参照して、本発明の一実施の形態について説明する。図１はガラス扉枠を開いて示すパチンコ遊技機の斜視図、図２はパチンコ遊技機の裏面図である。図において、パチンコ遊技機１は、縦長方形状に枠組みされる外枠２の前面に前面枠３が上下のヒンジ金具４，４により開閉自在に装着されている。前面枠３の裏面には遊技盤取付枠５が一体に設けられ、該遊技盤取付枠５に遊技盤６が着脱自在に装着されている。また、前面枠３の前面上方部分には遊技盤６が臨むガラス扉枠７が軸受片８，８によって開閉自在に軸着されており、その下方部分に上部球受皿９が開閉可能に設けられている。また、上部球受皿９の下方には下部球受皿１１が設けられ、その側方に打球発射用の操作ハンドル１２が配設されている。１３は、前面枠３およびガラス扉枠７の施錠機構のシリンダー錠である。
【００２５】
　前記ガラス扉枠７は、前面枠３の上半部分を全幅にわたって覆う大きさに形成され、その中央部に遊技盤６の遊技領域６ａが視認可能な方形状の開口が形成される金属製枠部７ａと、該金属製枠部７ａの表面側に装着される合成樹脂製の飾り枠７ｂとから構成されている。前記金属製枠部７ａの裏面には、上辺部を除く左右側辺部及び下側辺部を囲うようにコ字形に形成された溝枠部材７ｃが一体的に設けられており、該溝枠部材７ｃに遊技盤６を透視し得る内、外２枚のガラス板等の透明板１５，１５が上方より挿入嵌合されて保持されている。
【００２６】
　前記遊技盤６の表面には、図３に示すように誘導レール１６で囲まれる遊技領域６ａ内に液晶の表示部１７ａを有する可変表示装置１７や大入賞口１８、チューリップ式の始動入賞口１９および一般入賞口１０等の各種役物が配設され、さらに風車２０や障害釘２１等が設けられている。前記大入賞口１８は、基板の開口２２を開閉する扉板２３をソレノイド等により開閉する公知的な入賞装置である。
【００２７】
　また、遊技盤６の裏面に入賞球集合カバー２４が取着され、該入賞球集合カバー２４を覆うように機構板２５が装着される。機構板２５は、ほぼ中央に前記可変表示装置１７の後部を臨ませるための窓部２６が開設されて合成樹脂によりほぼ方形状に成形されている。この機構板２５の上方には補給経路から補給されるパチンコ球を貯留する球タンク２７が取付けられる。また、球タンク２７の下方にはパチンコ球を整列して導き出す球誘導樋２８が設けられており、該球誘導樋２８はパチンコ球が自然流下するように傾斜して取付けられる。そして、該球誘導樋２８の下流端は、屈曲誘導樋２９を介して球払出装置３０に接続されており、さらに球払出装置３０の下方には、払出されたパチンコ球を前面枠３の前面の上部球受皿９へ導くための排出樋３１および余剰球を下部球受皿１１に導く余剰球排出樋３２が形成される。また、窓部２６の下方には入賞球集合部３３に集められた入賞球を１個ずつ排出処理する入賞球排出処理装置３４が設けられている。
【００２８】
　前記球タンク２７は、図６および図７に示すように上面が開口する平面略長方形の箱形に形成され、機構板２５に接する後面壁３５と、該後面壁３５に対向する前面壁３６と、左側壁３７と右側壁３８および底壁３９とからなる。該底壁３９は、ほぼ平坦面であり、左側壁３７に向かって緩やかに下傾している。そして、底壁３９の下流端部であり、かつ前後巾のほぼ中央に球誘導樋２８の上流端部分に対応する長方形状の球導出口４０が開設される。
【００２９】
　前記球誘導樋２８は、底壁５１の中央に下流に向うにしたがって高くなるように形成された仕切壁５２によって球通路５３ａ，５３ｂを形成し、パチンコ球が二列になって流下するようになっている。
【００３０】
　上記球タンク２７は、機構板２５に後面壁３５を当接させてビス止め等の適宜手段によって固着され、補給経路から補給されるパチンコ球が貯留される。そして、該球タンク２７に貯留されるパチンコ球は、底壁３９の傾斜によって球導出口４０から球誘導樋２８に流出する。
【００３１】
　しかして、本発明は、図４ないし図８に示すように前記遊技盤６に振動手段４１を設けている。該振動手段４１は、遊技盤６に着脱自在に取付ける取付部材４２と、該取付部材４２に装着される振動モータ４３とにより構成される。振動モータ４３は、モータ軸４４に偏心ウェイト４５を固着することによりモータ４３自体が振動するようになっている。取付部材４２は、ほぼ遊技盤６の厚さに合致するコ字型に形成された取付片４６とＬ字型の受け枠４７を有し、前記振動モータ４３を受け枠４７の上方から嵌め込んで保持し、取付片４６を遊技盤６の上端に掛けるだけで取付部材４２を介して振動モータ４３の振動を遊技盤６に与えるようにしている。また、遊技盤６は図８に示すように遊技盤取付枠５に対して弾性手段としてのウレタンゴム４８を介して装着され、遊技盤６が振動しやすいようにしている。なお、図上ウレタンゴム４８を遊技盤６の上下左右に設けるようにしたが前後方向に設けるようにしてもよい。また、弾性手段を設けることなく上部または左右に振動可能な僅かな隙間Ｓを設けるようにしてもよい。
【００３２】
　次に、このように構成されるパチンコ遊技機の動作の一例を説明する。まず遊技者が操作ハンドル１２を操作して遊技領域６ａにパチンコ球を打ち込み、始動入賞口１９にパチンコ球が入賞すると可変表示装置１７の表示部１７ａの表示が変動し、「７・７・７」等の特定の表示により特別遊技状態になるパチンコ遊技機において、操作ハンドル１２の操作時に可変表示装置１７の表示部１７ａに例えば「天使」や「悪魔」が出現すると、その画像と連動して振動手段４１の振動モータ４３が振動し、この振動が遊技盤６を振動させることによって球飛びが変化し始動入賞口１９へ入賞しやすくなったり、入賞し難くなったりして遊技に変化をもたせることができる。また、特別遊技状態時に振動手段４１を振動させ、大入賞口１８の扉板２３の開放時に入賞しやすくしてもよい。また、振動モータ４３の回転数を変えることにより振動に強弱を付け、球飛びに変化を持たせることも可能である。また、上記したように遊技者に振動を予告することなく、ランダムに振動させることにより遊技者を驚かせ興趣を持たせるようにしてもよい。このとき、表示部１７ａに「振動中」と表示するようにしたり、揺動自在に設けたキャラクターにより振動状態を表示したりして、振動状態を報知する振動報知手段を設けるようにしてもよい。また、振動報知手段は振動手段４１の近傍にベル等の音発生手段を設け、振動によりベルを鳴らしたりするようにしてもよい。
【００３３】
　またこのとき、図７に示すように、振動手段４１と機構板２５を接触状態とすることで、球タンク２７および球誘導樋２８に振動が伝わり、球導出口４０や仕切壁５２で球詰りしそうになっても、該振動によってバランスを崩し確実に球払出装置３０にパチンコ球を供給することができる。
【００３４】
　このように、遊技盤６に振動手段４１を設けることで遊技に変化が生じ、遊技者に興趣を持たせることができ、さらに熟練した技術を必要とする釘調整にかわって振動手段４１によって入賞率を変化させることができる。また、振動手段４１を着脱自在に装着することで、主に振動させたい場所を変更でき、当然のことながら遊技盤６の交換時にそのまま使用することができ、コストを削減することができる。
【００３５】
　また、図９（イ）（ロ）に示すように遊技盤６の下面を切削して前後または左右方向に緩やかな円弧面にしたり、緩やかなＶ字状にしたりして揺動の基準点Ａを設けることでより揺動可能な不安定状態となり、振動を起しやすくなる。また、遊技盤取付枠５の遊技盤６受部を緩やかな円弧面や緩やかなＶ字状にしても同様の効果が得られる。なお、遊技盤６を位置決めする突起等を基準点Ａとして揺動自在に装着するようにしてもよい。
【００３６】
　また、図１０は弾性手段の他の実施の形態を示し、遊技盤６の周縁に弾性手段としての板バネ４９を設け、さらに該板バネ４９の端部を屈曲させて不正防止片５０を一体に設けており、遊技盤６自体が振動しやすいようにすると同時に、図１０二点鎖線に示すように機外からピアノ線等の不正具Ｈにより大入賞口１８の扉板２３を不正に開放してパチンコ球を払出す不正行為を阻止することができる。なお、弾性手段は上記実施の形態のウレタンゴム４８および板バネ４９に限定されることなく、スプリングおよび弾性片等であってもよく、遊技盤取付枠５側に設けるようにしてもよい。なお、図上一点鎖線で示したように、遊技盤６を後面側から装着するようにしたが、前面側から装着するようにしてもよい。また、本実施の形態で遊技盤取付枠５を前面枠３の裏面に一体に設けるようにしたが、遊技盤取付枠５を別体に形成し、遊技盤取付枠５と前面枠３の間に弾性手段を設けるようにしてもよい。
【００３７】
　また図１１は、遊技盤取付枠５を機構板２５側に設け、遊技盤６を前面側から装着するようにして、機構板２５と遊技盤取付枠５との間に弾性手段としての板バネ４９を介在させるようにした実施の形態を示し、遊技盤を揺動可能（図上前後方向に揺動可能）な状態で取着している。このとき機構板２５は、固定具６０により前面枠３に固着している。なお、固定具はビスまたはロックレバーであってもよい。また、前記板バネ４９の一端を延設して機構板２５の配線収納部６１に収納された配線Ｈを抜け止めする蓋片６２が設けられている。該蓋片６２は弾性を有しているので配線Ｈの処理を簡単に行うことができ、わざわざ蓋部材を取着する必要がない。また、図１２に示すように前面枠３とガラス扉枠７の隙間からの不正具の侵入を防止する不正防止片５０を一体に延設するようにしてもよい。
【００３８】
　また、取付部材４２を金属等の導電性部材により形成し、図１３に示すように取付部材４２の取付片４６を延設屈曲５４し、該屈曲部５４を誘導レール１６に接触させると共に、先端部５５を前記ガラス扉枠７の閉鎖時に金属製枠部７ａと接触するようにしてもよい。このように、遊技盤６とガラス扉枠７とを導通させることにより、遊技盤６に発生した静電気がガラス扉枠７に逃がされその電位差が解消されることから静電気が原因で起こる誤作動等の種々の障害が解消される。なお、取付部材４２はアルミニウムおよびマグネシウム合金をダイカスト鋳造または射出成形（チクソーモールディング法）によって成形してもよい。
【００３９】
　また、前記ヒンジ金具４，４または軸受片８，８とガラス扉枠７とをさらに導通させ、該ヒンジ金具４，４または軸受片８，８にアース線を接続させることで、さらに万全の静電気対策となり得る。また、遊技盤６の表面全体に貼られているプラスチック板（いわゆるセル板）を導電性のものとすれば、誘導レール１６と他の実装部品とが電気的に導通し、遊技盤６の静電気をより完全に逃がし得る。
【００４０】
　また、取付部材４２の先端部５５は、図１３鎖線および実線に示すようにガラス扉枠７を閉じることによって、該ガラス扉枠７の金属製枠部７ａに弾性的に接触する弾性片部として確実に接触させるようにするのが好ましい。また、取付部材４２を弾性的に接触させることにより、ガラス扉枠７の解錠時に該弾発力を利用してガラス扉枠７を自然開放することができる。また、図１０ないし図１２に示した板バネ４９を利用して直接ガラス扉枠７の金属製枠部７ａと導通させたり、アース線により導電させるようにしてもよい。
【００４１】
　また、図１４に示すように、取付部材４２の端部に屈曲片５６を形成し、ガラス扉枠７を閉鎖した際に、該屈曲片５６がちょうど内外２枚の透明板１５，１５の上方に位置し、透明板１５，１５の上端面を塞ぐため、パチンコ遊技機１の前面側から透明板１５，１５を上動することができなくなり、透明板１５，１５を上方へ持ち上げて行う不正行為を防止する上動防止手段としての役割を果すことができる。
【００４２】
　なお、本実施の形態では振動手段４１を遊技盤６の上部に設けるようにしたが設ける場所に限定されることなく、中央または下部に設けるようにしてもよい。例えば振動手段４１を下部に設けるようにして、特別遊技状態時に該振動手段４１を振動させ、入賞球集合カバー２４に振動を伝達し、入賞球集合カバー２４内での入賞球の球詰りを解消したり、一気に多量の入賞球が集合する入賞球集合部３３に振動を伝達し入賞球集合部３３での入賞球の球詰りを解消するようにしてもよい。また、振動手段４１を着脱自在として説明したが、遊技盤６にビス着等により直接固定的に設けるようにしたり、遊技盤６に取付部を穿設して設けるようにしてもよく、取付部を穿設することにより振動手段４１の場所を取らず、しかも遊技盤面に近くなるためより障害釘２１により振動を与えることができる。また、振動手段４１を障害釘２１と接触させて直接的に振動を与えるようにしてもよい。なお、振動手段４１は、いわゆる天釘および入賞口上部に設けられる命釘と称される主要釘近傍に設けるのが効果的である。
【００４３】
　また、振動手段４１を遊技盤６に設けられる可変表示装置１７等の盤面部品に設け、該盤面部品を振動させることにより遊技盤を振動させるようにしてもよい。このとき振動させたくない盤面部品は、吸振ゴムを介して振動しないように設けるようにすればよい。また、遊技盤６を合成樹脂により成形するようにしてもよく、合成樹脂により成形することで、振動手段４１の受枠４７を一体に成形することができ、さらに上下左右等に分割成形も可能となり、振動させたい部分だけ振動させたり、振動の伝わりに変化を与えることができる。また、図１５および図１４に示すように遊技盤６に形成した可変表示装置１７等の盤面部品の取付ボス５７の周縁に切り溝５８を設けて、図１６に示すように盤面部品を揺動可能な不安定状態で取付けることができ、一つの振動手段で振動の強弱や振動の伝達時間等の振動の伝わり具合を変化させることができる。また、弾性片５９により盤面部品を支えながら揺動可能な状態で取付けるようにしてもよい。
【００４４】
　また、振動手段４１を遊技盤６の表側に設けてもよく、例えば直接誘導レール１６に振動を与えて球飛びに変化を与えるようにしてもよい。このとき振動手段４１は、遊技領域６ａ外に設けられるコーナーレンズ等に設けるのが好ましい。このときコーナーレンズに振動を表示するキャクターを設けるようにしてもよい。また、振動手段４１は遊技盤６に設けることなく、ガラス扉枠７および機構板２５、入賞球集合カバー２４等に設けて、取付部材等の伝達手段を介して遊技盤６に振動を伝達するようにしてもよい。これにより、不正防止用の振動手段または球詰り防止用の振動手段を遊技盤６の振動手段として利用することができ、本来の目的のほかに遊技内容を変化させることができ、複合的な効果をもたせることができる。なお、当然のことながら球タンク２７および球誘導樋２８に設けた振動手段の振動を伝達するようにしてもよい。
【００４５】
　また、上述した振動手段４１をリーチ状態等の遊技内容の報知手段として利用してもよいのはいうまでもない。また、振動手段４１を振動モータ４３として例示したが、振動手段４１に特定されることなく、例えばソレノイドを使用して直接的に振動を発生させるほかに、モータおよびソレノイド等の駆動源の周囲に当接部材を設け、該駆動源の回転往復運動により当接部材に当接して振動を発生させるようにしてもよい。また、超音波発生装置により細かな振動を発生するようにしてもよい。
【００４６】
　また、振動手段の取付部材を導電性部材により形成すると共に、該取付部材を介して遊技盤およびガラス扉枠を導通させることで、静電気を確実に逃がして、静電気を原因とする種々の障害の発生を容易に防止することができる。
【００４７】
　さらに、振動手段の取付部材をガラス扉枠のガラス板の上動防止部材とすることで、ガラス板を上方へ持ち上げて行う不正行為を防止することができる。
【図面の簡単な説明】
【００４８】
【図１】ガラス扉枠を開放して示すパチンコ遊技機の斜視図である。
【図２】パチンコ遊技機の裏面図である。
【図３】遊技盤の正面図である。
【図４】振動手段の斜視図である。
【図５】図４の分解斜視図である。
【図６】球タンク部分の正断面図である。
【図７】パチンコ遊技機の要部側断面図である。
【図８】パチンコ遊技機の平断面図である。
【図９】（イ），（ロ）は遊技盤に揺動基準点を設けた実施の形態の要部正面図である。
【図１０】弾性部材の他の実施の形態の要部断面図である。
【図１１】他の実施の形態の要部側断面図である。
【図１２】他の実施の形態の要部側断面図である。
【図１３】導電手段を備えた他の実施の形態の要部側断面図である。
【図１４】透明板の上動防止手段を供えた他の実施の形態の要部側断面図である。
【図１５】遊技盤を合成樹脂にした実施の形態の要部斜視図である。
【図１６】図１５の側断面図である。
【符号の説明】
【００４９】
　１　　　　　　　　　　　　パチンコ遊技機
　５　　　　　　　　　　　　遊技盤取付枠
　６　　　　　　　　　　　　遊技盤
　６ａ　　　　　　　　　　　遊技領域
　７　　　　　　　　　　　　ガラス扉枠
　７ａ　　　　　　　　　　　金属製枠部
　１０　　　　　　　　　　　一般入賞口
　１５，１５　　　　　　　　透明板
　１６　　　　　　　　　　　誘導レール
　１８　　　　　　　　　　　大入賞口
　１９　　　　　　　　　　　始動入賞口
　２１　　　　　　　　　　　障害釘
　２５　　　　　　　　　　　機構板
　２８　　　　　　　　　　　球誘導樋
　４１　　　　　　　　　　　振動手段
　４２　　　　　　　　　　　取付部材（振動手段）
　４３　　　　　　　　　　　振動モータ（振動手段）
　４８　　　　　　　　　　　ウレタンゴム（弾性手段）
　４９　　　　　　　　　　　板バネ（弾性手段）
　５０　　　　　　　　　　　不正防止片（不正防止機能）
　５５　　　　　　　　　　　先端部
　５６　　　　　　　　　　　屈曲片（上動防止手段）
　Ａ　　　　　　　　　　　　揺動基準点
　Ｓ　　　　　　　　　　　　隙間
【図１】
2004041816.tif 000003
【図２】
2004041816.tif 000004
【図３】
2004041816.tif 000005
【図４】
2004041816.tif 000006
【図５】
2004041816.tif 000007
【図６】
2004041816.tif 000008
【図７】
2004041816.tif 000009
【図８】
2004041816.tif 000010
【図９】
2004041816.tif 000011
【図１０】
2004041816.tif 000012
【図１１】
2004041816.tif 000013
【図１２】
2004041816.tif 000014
【図１３】
2004041816.tif 000015
【図１４】
2004041816.tif 000016
【図１５】
2004041816.tif 000017
【図１６】
2004041816.tif 000018